(57)【特許請求の範囲】
【請求項１】
車両に配索されるワイヤハーネスに外装する樹脂成形品からなるプロテクタであり、
底壁と周壁からなる本体と、該本体の上面開口を閉鎖する蓋とからなり、ワイヤハーネスの出口から離れた前記本体の底壁にバンドクリップ係止用の丸穴を設け、ワイヤハーネスに締結したバンドクリップの係止部を前記丸穴に回転可に挿入係止し、前記ワイヤハーネスの出口から引き出されるワイヤハーネスを前記バンドクリップの係止部を支点として回転可能とし、かつ、
前記本体の周壁は前記ワイヤハーネスの回転方向に対応した円弧部を有する形状とした外側壁と内側壁とからなり、前記外側壁に沿った内部空間を前記ワイヤハーネスの円弧状の主通路としていることを特徴とするワイヤハーネス用のプロテクタ。
【請求項２】
前記出口から引き出されるワイヤハーネスは前記出口から８１ｍｍ〜９１ｍｍの位置にワイヤハーネス端末に接続されたコネクタがあり、前記出口から９５ｍｍ〜１００ｍｍの位置にバンドクリップ係止部の中心支点があり、前記ワイヤハーネスの外径は３５ｍｍ〜４０ｍｍである請求項１に記載のワイヤハーネス用のプロテクタ。
【発明の詳細な説明】
【技術分野】
【０００１】
本発明はワイヤハーネス用のプロテクタに関し、特に、プロテクタから引き出されるワイヤハーネスの端末のコネクタの組付性を高めるものである。
【背景技術】
【０００２】
車両に配索するワイヤハーネスは多数本の電線を集束して構成されており、ワイヤハーネスの配索経路を規制すると共にワイヤハーネスの保護を図る必要がある領域では樹脂成形品からなるプロテクタで外装している。
【０００３】
該プロテクタは樋形状の本体にワイヤハーネスを挿通した後、蓋を被せる構造で、本体の長さ方向両端にテープ巻き片を突設し、該テープ巻き片にワイヤハーネスを粘着テープで巻き付けてワイヤハーネスをプロテクタに固定している場合が多い。また、プロテクタ本体と蓋の両方から突設した上下半円環部の間にワイヤハーネスを挟んで固定する場合もある。
【０００４】
しかしながら、プロテクタから引き出したワイヤハーネス端末のコネクタを相手方コネクタまたは機器のコネクタ嵌合部に嵌合するために、ワイヤハーネスを回転移動させなければならない場合がある。其の際、プロテクタの出口でワイヤハーネスをテープ巻きで固着し、プロテクタの出口からワイヤハーネス端末のコネクタまでの寸法が短いと、ワイヤハーネスを回転移動できない問題がある。
【０００５】
前記問題に対して、従来、特開２００３−３４８７４３号公報では、図５（Ａ）（Ｂ）に示すように、プロテクタ１００内に回転部材１０１を回転自在に収容保持し、該回転部材１０１にワイヤハーネス１１０を挿通し、かつ、プロテクタ１００の出口部分に先端開口に向けて拡大した長い壁部１０３を設けている。これにより、プロテクタ１００から引き出されるワイヤハーネス１１０を回転可能としている。
【先行技術文献】
【特許文献】
【０００６】
【特許文献１】特開２００３−３４８７４３号公報
【発明の概要】
【発明が解決しようとする課題】
【０００７】
前記特許文献１のプロテクタでは、出口部分に先端開口に向かって広がる長い壁を設けているため、プロテクタの出口部分に広い配置スペースが必要となる。しかしながら、配置スペースがない場合には特許文献１のプロテクタを採用することができない。また、プロテクタの出口とワイヤハーネス端末のコネクタとの寸法が短い場合、出口部分に長い壁を設けることができない。さらに、プロテクタの内部に回転部材を配置する構成とするとプロテクタの構造が複雑となり、かつ、別部品の回転部材が必要になると共にコネクタに取り付ける作業が必要となり、コストが高くなる。また、回転部材にワイヤハーネスを貫通する作業は手数がかかる問題もある。
【０００８】
本発明は前記問題に鑑みてなされたもので、プロテクタの出口から引き出されるワイヤハーネス端末のコネクタまでの寸法が短く且つ該コネクタの嵌合作業のためにワイヤハーネスを揺動できるワイヤハーネス用のプロテクタを提供することを課題としている。
【課題を解決するための手段】
【０００９】
前記課題を解決するため、本発明は、車両に配索されるワイヤハーネスに外装する樹脂成形品からなるプロテクタであり、
底壁と周壁からなる本体と、該本体の上面開口を閉鎖する蓋とからなり、ワイヤハーネスの出口から離れた前記本体の底壁にバンドクリップ係止用の丸穴を設け、ワイヤハーネスに締結したバンドクリップの係止部を前記丸穴に回転可に挿入係止し、前記ワイヤハーネスの出口から引き出されるワイヤハーネスを前記バンドクリップの係止部を支点として回転可能とし、かつ、
前記本体の周壁は前記ワイヤハーネスの回転方向に対応した円弧部を有する形状とした外側壁と内側壁とからなり、前記外側壁に沿った内部空間を前記ワイヤハーネスの円弧状の主通路としていることを特徴とするワイヤハーネス用のプロテクタを提供している。
【００１０】
前記のように、本発明では、プロテクタの出口でワイヤハーネスを固定せず、出口より所要寸法離れたプロテクタ内部でバンドクリップを介してワイヤハーネスを回転自在に保持している。これにより、プロテクタ出口からワイヤハーネス端末のコネクタまでの寸法が短くとも、プロテクタ内部のバンドクリップ係止位置を支点としてワイヤハーネスを回転させることができるため、ワイヤハーネス端末のコネクタの嵌合作業性を高めることができる。かつ、プロテクタも出口に拡大した長い壁を設ける必要はないため、プロテクタが大型化せず、かつ、ワイヤハーネスが回転移動する出口側の部分もプロテクタ内部に挿入しているためワイヤハーネスの保護を図ることができる。
【００１１】
前記のように、ワイヤハーネスのバンドクリップ係止位置から前記ワイヤハーネス引出口の間のワイヤハーネスを囲む周壁は、ワイヤハーネスの回転方向に対応した円弧形状とした外側壁と内側壁からなり、該外側壁に沿った内部空間を円弧状の主通路として内部容積を広げている。
【００１２】
具体的には、前記のように、底壁と周壁からなる本体と、該本体の上面開口を閉鎖する蓋とからなり、前記バンドクリップ係止用の丸穴は本体の底壁に設ける一方、前記本体の周壁は円弧部を有する形状とした外側壁と内側壁とからなり、前記外側壁に沿った内部空間を前記ワイヤハーネスの円弧状の主通路としている。本体の周壁の周方向の両端に前記ワイヤハーネスの入口と出口を設けている。さらに、該プロテクタに通すワイヤハーネスにスプライスがあれば、入口と出口の間で前記内側壁に接して前記スプライス収容壁を設けていることが好ましい。
【００１３】
前記ワイヤハーネス引出口から引き出されるワイヤハーネスの外径は３５ｍｍ〜４０ｍｍであり、前記ワイヤハーネス引出口から８１ｍｍ〜９１ｍｍの位置にワイヤハーネス端末に接続されたコネクタがあり、該コネクタの相手方コネクタまたはコネクタ嵌合部への嵌合作業時に前記ワイヤハーネスが回転されるものである場合に、本発明のプロテクタは好適に用いられる。
【００１４】
特に、自動車の被水領域となるエンジンルームに配置されるエンジン制御ユニットに接続されるワイヤハーネスに外装し、エンジンルーム内に配置されるプロテクタとして好適に用いられる。該プロテクタに挿通するワイヤハーネスはシールド線を多数含んでいるため、ワイヤハーネスは剛性を有し、且つ外径が大きくなっている。該ワイヤハーネス端末のコネクタをエンジン制御ユニットのコネクタ嵌合部への嵌合作業時にワイヤハーネスを回転させる必要があるが、前記のように、ワイヤハーネスが太く、剛性があり、しかもプロテクタ出口からの寸法が短いため、ワイヤハーネスは容易に回転できないものとなっている。よって、本発明のプロテクタを用いると、プロテクタ内部位置をワイヤハーネスの回転支点としているため、ワイヤハーネスを無理なく回転させて、ワイヤハーネス端末のコネクタの嵌合作業性を高めることができる。
【発明の効果】
【００１５】
前記のように、本発明は、プロテクタ内部を挿通する部位でワイヤハーネスにバンドクリップを取り付け、該バンドクリップのクリップをプロテクタに回転自在に係止してプロテクタにワイヤハーネスを取り付けている。これにより、プロテクタの出口から引き出されるワイヤハーネスの回転支点をプロテクタ内部に取ることができ、プロテクタ出口から引き出されるワイヤハーネス端末のコネクタを回転させて相手方に無理なく嵌合させることができる。
【図面の簡単な説明】
【００１６】
【図１】本発明のプロテクタの第１実施形態を示し、（Ａ）はプロテクタの本体の平面図、（Ｂ）は出口側の側面図である。
【図２】前記プロテクタにワイヤハーネスを通し、該ワイヤハーネス端末のコネクタを機器のコネクタ嵌合部に嵌合する状態を示す図面である。
【図３】前記プロテクタへのワイヤハーネスのバンドクリップを用いた取り付け状態を示す概略図である。
【図４】第２実施形態のプロテクタの本体にワイヤハーネスを通した状態を示す平面図である。
【図５】（Ａ）（Ｂ）は従来例を示す図面である。
【発明を実施するための形態】
【００１７】
以下、本発明のプロテクタの実施形態を図面に基づいて説明する。
図１乃至図３に第１実施形態のプロテクタを示す。
【００１８】
実施形態のプロテクタ１は、自動車の被水領域のエンジンルーム内に配索するワイヤハーネス２に外装するプロテクタであり、該ワイヤハーネス２はエンジンルーム内に配置するエンジン制御ユニット３に接続されるもので、シールド線を多数含み、比較的剛直且つ大径である。また、プロテクタ１の出口５から引き出されるワイヤハーネス２から８１ｍｍ〜９１ｍｍの寸法Ｌ１をあけた位置が端末位置となり、該端末位置にコネクタ６を接続し、該コネクタ６を既に固定されている前記エンジン制御ユニット３に設けたコネクタ嵌合部３ａに回転させて嵌合させるものとしている。
【００１９】
プロテクタ１は本体１０と蓋１１とからなり、本体１０は底壁１３と外周壁１４ａと内周壁１４ｂとからなる周壁１４を備えている。本体１０の周壁１４と蓋１１の周壁とに互いに結合するロック部（図示せず）を設けている。
【００２０】
プロテクタ１の出口５側は円弧状に大きく湾曲し、プロテクタ１は全体的にＣ形状としている。該湾曲方向はプロテクタ１の出口５から引き出されるワイヤハーネス２の回転方向ｙ１としている。前記出口５と反対側の長さ方向の先端開口をワイヤハーネスの入口７としている。
【００２１】
図１に示すように、プロテクタ１の出口５から９５ｍｍ〜１００ｍｍの寸法Ｌ２を離れた位置の本体１０の底壁１３に、その幅方向の略中央に円形穴１５を設け、該円形穴１５をワイヤハーネス２の電線群を結束するバンドクリップ２０のクリップ２１の挿入係止穴としている。バンドクリップ２０は汎用されているバンドクリップである。
即ち、図３に示すように、電線群に巻き付けるバンド２２を締結用本体２３から突設し、該締結用本体２３にバンド貫通穴２４を設け、バンド貫通穴２４に突設した係止爪をバンド２２に設けた係止溝に選択的に係止して電線群を締結するものとしている。前記締結用本体２３の外面から前記クリップ２１を突設しており、該クリップ２１は締結用本体２３から突設した軸部２１ａの先端から一対の羽根部２１ｂを折り返し状に突設し、その先端に係止段部２１ｃを設けている。
前記バンドクリップ２０のクリップ２１の羽根部２１ｂを前記円形穴１５に挿入し、係止段部２１ｃを円形穴１５の周縁に係止して固定するものとしている。其の際、係止段部２１ｃが係止する穴周縁が円形であるため、バンドクリップ２０は円形穴１５に対して回転自在としている。
【００２２】
プロテクタ１はワイヤハーネス２が円形穴１５への係止位置を回転支点Ｐとしてスムーズに回転できるように、円形穴１５から出口５までの間の容積を大きくしている。
具体的には、ワイヤハーネス２は外径が３５ｍｍ〜４０ｍｍであるため、本体１０の底壁１３の幅Ｗは５０ｍｍ、外周壁１４ａと内周壁１４ｂの高さＨは４０ｍｍとしている。
【００２３】
図２に示すように、プロテクタ１に挿通され、出口５から引き出されるワイヤハーネス２は、出口５からＬ１の位置に端末コネクタ６が接続され、出口５からプロテクタ内部へ長さＬ２の位置で回転自在に係止される。よって、ワイヤハーネス２のバンドクリップ２０による係止位置からＬ２＋Ｌ１の長さ寸法（１７６ｍｍ〜１９１ｍｍ）がワイヤハーネス２の回転を含めた自由に動くことができる寸法となる。
【００２４】
前記プロテクタ１を外装したワイヤハーネス２をエンジンルームに配索し、該エンジンルームに予め搭載されているエンジン制御ユニット３のコネクタ嵌合部３ａに端末のコネクタ６を嵌合する際、図２に示すように、ワイヤハーネス２をプロテクタ１の出口５側の湾曲方向のｙ１に回転させた後に逆方向のｙ２にｙ１→ｙ２へ矢印Ｙで示す方向に回転させる必要がある。よって、プロテクタ１から引き出されたワイヤハーネス２を作業員が把持してワイヤハーネス２を矢印Ｙに回転させると、ワイヤハーネス２はプロテクタ１の内部のバンドクリップ係止位置を回転支点Ｐとして無理なく回転させることができる。よって、ワイヤハーネス２の端末のコネクタ６を相手方のコネクタ嵌合部３ａへ容易に嵌合することができ、嵌合作業性を高めることができる。
【００２５】
図４に第２実施形態のプロテクタ１−Ａを示す。
該プロテクタ１−Ａはプロテクタの内部にスプライス収容部３０を設けている点、出口５と入口７との間の途中に分岐線用開口３１を設けている点で第一実施形態と相違している。  
【００２６】
詳細には、本体１０の内部では、外周壁１４ａの内面に沿って湾曲した主通路３３を設け、該主通路３３の内周側に底壁１３からスプライス収容壁３５を突設し、スプライス収容室３５ａ〜３５ｃを並設している。これら並設したスプライス収容室３５ａ〜３５ｃにはワイヤハーネスの電線群に設けられたスプライスＳを集中的に収容できるようにしている。
【００２７】
さらに、本体１０の入口７を囲む外周壁１４ａ、内周壁１４ｂおよび底壁１３の内面にはワイヤハーネス２に外装するコルゲートチューブ４１の谷部４１ａに嵌合するリブ１８を突設している。該コルゲートチューブ４１は入口７から挿入した部分で終端し、ワイヤハーネス２の電線群を前記バンドクリップ２０で結束している。
他の構成は第一実施形態と同様であるため、同一符号を付して説明を省略する。
なお、スプライスＳの個数が多い場合は、スプライス収容部３０に仕切プレートを取り付けて上下段のスプライス収容室を分離して設けてもよい。
【符号の説明】
【００２８】
１  プロテクタ
２  ワイヤハーネス
３  エンジン制御ユニット
５  出口
６  コネクタ
７  入口
１０  プロテクタの本体
１１  蓋
１３  底壁
１４ａ  外周壁
１４ｂ  内周壁
１５  円形穴
２０  バンドクリップ
２１  クリップ
【図１】
0005418514.tif 000002
【図２】
0005418514.tif 000003
【図３】
0005418514.tif 000004
【図４】
0005418514.tif 000005
【図５】
0005418514.tif 000006